【手続補正書】
【提出日】平成18年1月30日(2006.1.30)
【手続補正１】
【補正対象書類名】明細書
【補正対象項目名】全文
【補正方法】変更
【補正の内容】
【書類名】        明細書
【発明の名称】    信号処理方法
【特許請求の範囲】
【請求項１】
複数レベルによって感知する事が出来る正負の電圧の高さ、巾、デューティ、周波数、波形、電流の量及び個数の要因を組合わせた多種多様な信号を集めた信号群の中より必要な数だけランダムに選んで並べた多信号ブロックを前記複数レベルで感知し、
該感知レベルの出力信号を記録し、
その記録と送られて来た必要とする信号を比較して、記録した信号と送られて来た必要とする信号が同じであるか判別し、該判別結果を確認する
信号処理方法。
【請求項２】
複数レベルによって感知する事が出来る正負の電圧の高さ、巾、デューティ、周波数、波形、電流の量及び個数の要因を組合わせた多種多様な信号を集めた信号群の中より必要な数だけランダムに選んだ多信号を並べて各多信号に順番を付け、
所定の数式により各多信号の順番数を使用して各桁の信号の順位を算出する
信号処理方法。
【請求項３】
複数レベルによって感知する事が出来る正負の電圧の高さ、巾、デューティ、周波数、波形、電流の量及び個数の要因を組合わせた多種多様な信号を集めた信号群の中より必要な数だけランダムに選んだ多信号を並べて各多信号に順番を付けた多信号ブロックの各信号を順番数を基準にして、他に使用する為の別の２進法の信号に置換する処理、又は他の２進法の信号と共にある数を基準にして多信号ブロックに置換する処理を行う
信号処理方法。
【請求項４】
２進方法を多信号法に変えて、その多信号の基準の数と、複数レベルによって感知する事が出来る正負の電圧の高さ、巾、デューティ、周波数、波形、電流の量及び個数の要因を組合わせた多種多様な信号を集めた信号群の中より必要な数だけランダムに選んだ電子回路の多信号を並べて各信号に順番を付け、
前記各多信号の順番数に基づく数により、前記多信号と、ランダムに再度選んだ電子回路の多信号とのいずれかから他の信号へ置換する
信号処理方法。
【請求項５】
複数レベルによって感知する事が出来る正負の電圧の高さ、巾、デューティ、周波数、波形、電流の量及び個数の要因を組合わせた多種多様な信号を集めた信号群の中より必要な数だけランダムに選んで並べた多信号ブロックと、多信号を限定時間以内で適当に区切るデータ信号とを一組のブロックとし、該一組のブロックのうちの一方のブロックを圧縮加工して送信し、当該一方のブロックの送信終了時を基準にしたブロック送り時間が経過したときに前記一組のブロックのうちの他方のブロックを圧縮加工して送信するステップと、
受信した圧縮加工されている前記多信号ブロックを再生加工して元の多信号ブロックに戻すステップと、
多信号ブロックの記録と受取った多信号ブロックを比較確認して、記録した多信号ブロックと受取った多信号ブロックが同じである事を確認した時には、受取った事を知らせる信号をブロックの送信側に繰返し送信するステップと、
多信号ブロックの出力又は他のデータ信号のみを取り出すステップと、を有する
信号処理方法。
【発明の詳細な説明】
【０００１】
［発明の属する技術分野］
従来の電子回路の信号にはみな２進法で矩形波パルスを使っている。例えば電子回路の信号のクロックパルスは矩形波パルスの連続波であるし、そのタイムチャートの信号もやはり矩形波パルスである。
しかし今２０００年になろうとしている時、世の中は非常な早さで進歩し複雑化して来て、要望も多くなってきている。今後の世の中のこの要望に答えるにはメモリーが不足し、又複雑化してきている現象に対してコンピータが付いて行けなくなる。これに対処できるようにする為には多量の信号が必要になってくる。
そこで本発明が零は計算の時のみ必要である多くの信号を対象にした「多信号法」を発明した。この本発明の請求項１は多信号の記録判別方法、請求項２は多信号の計算方法、請求項３は多信号の順番を基準にして２進法の信号へ、又は２進法の信号から多信号に置換える方法、請求項４は他分野での多信号と本発明の電子回路の多信号への置換方法及び請求項５は多信号及び多信号と共に他の信号を加工して送る方法の技術分野である。
【０００２】
［従来の技術］
従来の２進法に於ける信号は１ビットに１個の信号が有るか無いかで表す。その為信号は矩形波のみである。昨今は２進法ではない多進法も出てきているが、精々４進法までであり、これに必要な信号は３個も有ればよいので、矩形波の高さとか巾のみで表すので賄える。
しかし現在日本の各応用分野で使用する為に必要な区分の最大数は１０１４である。この数は従来の２進法や４進法ではとても表現できない。この為にまず数を表すのに多量のメモリが使われてしまう。その為現在の複雑多岐な現象はやはり従来のパソコンではなく、やはり大型コンピュータでなければできない。また、２進法を暗号化に使用すると簡単に解読できてハッカーやその他の問題も発生してしまう。数量の多い分類等では２進法や４進法の信号の為ビット数が少ないと表現が出来ない。また、多進法では信号は精々７個までである。レベルも７値が精々である。電波を送る時には、使用する事の出来る周波数が少なく、しかしその使用件数は鰻昇りに増えている。もし１周波数で同時に多数件を使用する時には必ず混信の問題が発生してしまう。
【０００３】
［発明が解決しようとする課題］
従来の欠点や要望について述べる。
【０００４】
１．
ａ．１桁の表現には矩形波の２進法か又は４進法等の高さや巾のみしかない。
ｂ．１パルスの有無では余り表現が単純で細か過ぎて、数の多い時や複雑な時には現在の電子回路やメモリ等が多く必要で、そのスペースも多く必要になる。
ｃ．表現が単純な為、暗号化はすぐに解読されてハッカー等の問題が発生しやすくトラブルが発生しやすくなる。
ｄ．多量の２進法の信号又は多進法の信号のブロックに於ける記録比較判別はスペースが足りなくなり、経済的に高くなり、スピードも遅くなってしまう。
ｅ．矩形波の高さのみ、巾のみの順序が定まっている為、そのままの小さい順に１から数が定まってしまう為に他の数には使用できない。
ｆ．矩形波の高さに対してはその数字の数だけレベルが必要になってしまうので、大きい数に対しては使用すると不経済になる。
ｇ．矩形波の巾は１ビットにその最大巾の時間だけ取らねばならず、多ビットになると大きな時間がかかってしまう。
ｈ．２進法はそろそろ限界が見えて来て他の方法が要望されて来ている。
【０００５】
２．
ａ．矩形波の高さ巾のみの順序が定まっている為、小さい順に１から数が定まるので１ビットに当て嵌める数も少なくなってしまう。
ｂ．この信号との数との計算式は各ビット（各桁）との多信号と続ける事が出来なかった為、又２進法の為に必要がなく式が発表されていない。
ｃ．数の多い時や複雑な時等には現在の回路やメモリ等では多くなり過ぎてスペースもなく限界である。
ｄ．多量や複雑な計算には２進法では経済的に高くなり、スピードも遅くなってしまい限界が見えてきている。
ｅ．２進法は限界が見えて来たので他の方法を要望されてきている。
【０００６】
３．
ａ．カード（Ｉｃ付かない）等はやはり２進法のみの信号の有無のみで単純な為に解読されトラブル続きである。
ｂ．カード（Ｉｃ付かない）などのコードスペースが少ないので数字に限界がある。
ｃ．カード（Ｉｃ付）のＩｃスペースが比較的に大きく巾を取るので数が多い時は他のメモリースペースに邪魔になる。
ｄ．カード（Ｉｃ付）のＩｃは２進法又は４進法の為メモリの数が少なく、データやその他の経過等の記録は非常に少なくなる。
ｅ．フロッピーからの電子信号は２進法の為スペースを取り、メモリの量が少ない。
ｆ．フロッピーや電子信号の単価も高く記録量が少ないので限界がきている。
ｇ．２進法に限界が来ているので他の方法を要望されている。
【０００７】
４．
ａ．他分野でもやはり多信号の多信法は存在しないので、やはり２進法等の記録信号とによりなされている。
ｂ．前記３．の問題と同様な欠点と要望があげられる。
【０００８】
５．
ａ．矩形波の２進法では電波のナンバーリングの表現桁数のスペースが多く必要になってしまう。
ｂ．２進法の為にａで述べた様に情報量比率が低くなりスピードも遅くなる。
ｃ．電波の使用周波数が少なくなり、又１周波数に使用する量も全般に少なくなってしまう。
ｄ．電波の種別を分ける事や暗号化は２進法では限界がある。
ｅ．繰返しタイミングでは繰返し回数も多くなり完了するまでに時間がかかり過ぎる。
ｆ．電波分野等での情報の伝達において２進法でない他の方法を要望されている。
以上における従来の問題などを本発明は解決する事を目的としている。
【０００９】
［課題を解決するための手段］
本発明は、現在の要望を取入れてこれら従来の欠点等を取除く事とする。まず１ビットを多量の数表現によってその数を基準にして信号に置換える様にする。電子信号で高さ、巾、デューティ、周波数、波形、電流の量及び個数の要因を組合わせて複数のレベルで記録比較判別が出来る多信号をランダムに必要な個数を選び出して、並べて順番を付ける。その順番の番号（順番数）と多信号を組みにして数を基準にして使用する。その数を基準にして暗号化、計算、他の２進法の信号との置換え関係、他の分野での直接の多信号との置換え関係及び多信号を加工して送る事をする。
【００１０】
１．（多信号ブロックの記録比較判別）
これは複数の多信号を複数のレベルで感知して、その各レベルの出力信号を記録して、必要な信号が来た時記録信号とその必要な信号を感知した各レベルの出力信号とを比較判別して確認する。
【００１１】
２．（多信号を置換えた数による計算）
まず信号に定めた順番数がある事が重要である。他の異なった時に同じ信号があってもランダムに選んだ多信号ブロックが異なると同じ順番数になる確率も非常に少なくなる事も重要であり、又順番が同じにして初めて同じ信号が同じ順番数になる事も重要である。
さて計算は順番数を数字として行う。但しこの計算は特殊な計算式がある。多信号と順番数の関係は多信号ブロックと順番数ブロックで表される。
今までの信号に対しては規則の有る信号と自らあてはめてある数字の為２進法又は４進法のように数も少なかった。その為計算式もなかった。
しかし本発明は各ビットの数に順番数ブロックの順番数をかける事で、次のビットへつながり、初めてこの計算式が出来た。
【００１２】
３．（多信号の数を基準にして多信号と２進法の電子信号の何れかを他の一方に置換）
世の中の現象に対しての信号になるものは色々ある。例えは  バーコード、カード、フロッピー、その他の信号は数字を中心にしている。
この数字と多信号ブロックの順番数をかえして双方の置換えが可能になる。但しバーコード、カード、フロッピー、その他の信号もその分野の２進法が多信号化へ進むと考えられる。
【００１３】
４．（他分野での多信号と本発明の電子回路の多信号の何れかを他の一方に置換）
他分野においても２進法の１信号を数種類の信号に変えて多信号に変えられる事が出来る様にする。まず磁気のフロッピー、光のフロッピー及びバーコード等を多信号にする。これにより直接の多信号の変換が可能となりメモリ量も非常に多くする事が出来る。
【００１４】
５．（多信号及びその他の信号を加工して送る）
多信号を電波、光、音波や有線等で送るには従来の方法でも良いのであるが、多信号を使用するのによく問題になる混信等で拾えなくなる電波に対して述べる事とする。一般に多信号は他のデータ信号と比較して非常に少ないビットの為、まずデータ信号の使用時間を考える事とする。まずデータ信号を送るのに必要な最大時間である限定時間以内での適当に区切る事により他の送っている時間とその送っている時間に差が出る。また、その送っている時間と同じだけ空けて止めて、次をスタートさせると差が２倍となり、差がおおきくなる。この事によって繰返しの時はかちあう事が少なくなる。しかし非常に１周波数でかちあう時には圧縮加工技術によってかちあう事は無くなる。
前記が満足する事が出来る本発明の手段である。
【００１５】
［発明の実施の形態］
次に、本発明の実施の形態について実際の例をあげて図面を参照しながら説明する。
１：図１においては、本発明の多信号ブロック（特許請求の範囲の複数レベルによって感知する事が出来る正負の電圧の高さ、巾、デューティネ周波数電流の量及び個数の要因を組合わせた多種多様な信号を集めた信号群の中より必要な数だけランダムに選んで並べた多信号ブロック）と複数レベルで感知して、そのレベルの出力信号との関係をのべる。
【００１６】
（ａ）は三角波のサイクルで高さに関する３種類（１，２，３）の図である。この時の３種類の三角波サイクルの高さに対するレベル出力信号は太線で表わされている。また、上記の正負波形と高さの要因の組合わせもできる。
【００１７】
（ｂ）は逆ノコギリ波の巾に関する３種類（４，５，６）の図である。当然デューティやサイクル等にもこの方法で使用出来る。やはりこの時の３種類の逆ノコギリ波に対してのレベル出力信号は太線で表している。また、正逆波形と巾、デューティの要因の組合わせもできる。
【００１８】
（ｃ）はサイン波サイクルでこの波に対しても実線で３種類（ａ，ｂ，ｃ）又は（７，８，９）と点線では６種類の逆サイン波サイクル（ｄ，ｅ，ｆ，ｇ，ｈ，ｉ）を表している。この時のａ又は９のサイン波サイクルに対するレベル出力信号は太線で表している。また、正負正逆波形と変形の要因の組合わせもできる。
【００１９】
（ｄ）はサイン波サイクルの周波数に関する種類（１０，１１，１２）の図である。この時のサイン波サイクルに対するレベル出力信号は同様で有るので省略する。また、正負正サイン波サイクルと周波数の要因の組合わせもできる。
【００２０】
（ｅ）は波に関する４種類の図である。１３は逆ノコギリ波サイクルで実線で表し、１４は逆三角波サイクルで点線で表して、１５は矩形波サイクルを実線で表している。この時の正負の一方をダイオード等で止めて、正のサイン波とそのレベルのＬ２１とＬ２２を関係付けてレベル出力を太線で表した。同様にダイオード等を使用して負の逆ノコギリ波とレベルＬ１９，Ｌ２０で関係付けて、レベル出力を太線で表した。また、正負正逆波形の要因の組合わせもできる。
【００２１】
（ｆ）は電流の量に関する３種類の電流量の図である。その内の１７の電流の量に対するレベル出力を太線で表した。
【００２２】
（ｇ）は同じ波形の個数に関する図である。同様にして異なった要因との組合わせによってもやはり出来る。さて前にもどって、レベルでのＬ２９からＬ３２までに関係付けてのレベル出力をやはり太線で表した。
【００２３】
２：図２は多信号ブロックと順番数ブロック及びその内の信号の順番数及びレベル出力との一例を示す。
【００２４】
（ａ）は特許請求の範囲の請求項１から５までにおける「複数レベルによって感知する事が出来る正負の電圧の高さ、巾、デューティ、周波数、波形、電流の量及び個数の要因を組合わせた多種多様な信号を集めた信号群の中より必要な数だけランダムに選んで並べた多信号ブロック又その信号群の中より必要な数だけランダムに選んだ多信号を並べて各多信号に順番を付け」て、順番数をのせた図である。
【００２５】
（ｂ）は（ａ）のレベルＬ３０からＬ３５までにおけるレベル出力の図である。この信号を記録し、次の必要な信号との比較判別に用いる。
【００２６】
３：本発明における請求の範囲の請求項２の計算について述べる。まず本発明で重要なのは信号に順番を定めてその番号（順番数）を乗算する事である。これは今までには無い方法である。その為計算式もない。本発明の計算式は以下の様な４種類がある。
１．各桁における表現の数式
２．数値を表す式
３．最大数を求める式
４．信号の順位を求める式
これ等の式の詳細について述べると以下の様になる。
１．各桁における表現の数式
信号数ｎ個、ビット数（桁数）ｍ、各桁数の信号の順番数Ｎ（）
【数１】
2000232487.tif 000001
２．数値の表す式
表現の数（各桁数の合計）Ｔを求める。
信号の順番数Ｎ（）の数は１≦Ｎ（）（Ｎ１、Ｎ２、……Ｎｋ＋１）≦ｎ
但し各ビット数（桁数）ごとに１個の信号順番数が発生する。
【数２】
2000232487.tif 000002
３．最大数を求める式
最大数Ｔｍａｘ、信号数ｎ、ビット数（桁数）ｋ、最大ビット数ｈ、ａ＝１とする。
【数３】
2000232487.tif 000003
４．各桁の信号の順番数Ｎ（）を求める式
Ｔを（ｎ＋１）ｈで割って１≦Ｎｈ＋１≦ｎになるビット数ｋを求めてｈとＮｈ＋１を求める。
【数４】
2000232487.tif 000004
同様にＴｈ−１を（ｎ＋１）ｈ−１で割ってＮｈを１≦Ｎｈ≦ｎである事を確認する。そして最後に（ｎ＋１）０とＮ１まで求めて終了する。
【００２７】
さて図２の（ａ）の多信号ブロックでは表現の数を求めて見る。
１９の信号（混合波形のデューティＤ５／８）は順番数２９、２０の信号（サイン波サイクルＤ１）は順番数３５及び２１の信号（三角波Ｄ１／２）は順番数４８とした時、この図２の３桁での表現の数を計算する。
５００×２９＋５０１×３５＋５０２×４９＝１２４，２７９となる。現在の２進法では３桁は最大で７までしか表せない。しかし本発明のこの例では最大は以下の様になる。
５００×５０＋５０１×５０＋５０２×５０＝１２７，５５０となる。ただし益々信号と順番数との記録と対処が必要になってくる。本発明の特許請求の範囲の請求項２におけるこの多信号の方法がいかにすばらしいかと言う事になる。
【００２８】
４：本発明の特許請求の範囲の請求項３は多信号が「他に使用する為の別の２進法の信号に置換える」と「他の２進法の信号と共にある数を基準として多信号ブロックに置換える」を述べている。
多信号を作り、従来の２進法の信号と置換える事をするには簡単に行う事が出来るので図は省略する。やはり互いに数字を基準にして行えばよい。
【００２９】
５：図３は本発明の特許請求の範囲における請求項３の説明をする。
図３の（ａ）は請求項４の多信号を「他に使用する為の別の多信号に置換える」事を表している。即ち本発明における電子回路の多信号を置替える為には他分野での順番数をかえして行う多信号がない。他分野でも多信号化は進むべきであるが、今はまだ無い。その為に特願平９−１１０００５（多信号用メモリーシステム）の本人出願を採用した。
ここでは電子回路の多信号と光デスクのメモリは数字を持っているので、電子回路の多信号を光デスクのメモリに置換えられる事を示す図である。（ｂ）と（ｃ）は「他の信号と共にある数をかえして多信号ブロックに置換える」を表している。同様に特願平９−１１０００５を使用した。
（ｂ）はバーコードの多信号メモリが順番数を持ち、同様に電子回路の多信号も順番数を持っているので、数を基準にして電子回路の多信号に置換えを行う事を示す図である。
（ｃ）は磁気デスクの多信号メモリが数を媒体として電子回路の多信号に置換える事を示す図である。
【００３０】
６：図４は本発明における特許請求の範囲の請求項５を説明する。
送信側の多信号コードのみとその圧縮信号データで、これを電波で送る。
又多信号コードとデータ信号を一緒にして各回の異なったデータ信号を送る。
（ａ）はスタートＳ２６，番号や指示Ｔ２７，データとを区別する為の空きｓ及びデータＤ２８等の多信号コードにて繰返し送る図である。
（ｂ）は（ａ）の多信号コードを圧縮するに必要な時間ｔｄを空けて、多信号コードを圧縮した圧縮信号データＨ３０を送る図である。
（ｃ）は送信側の１の多信号コードブロック３１とその他の限定時間以内で適当な区切りをする他のデータ信号ブロック３２をその送り時間だけ空けて、次２の同様な多信号コードブロックとデータ信号ブロックをその送り時間だけあけて行う。この様にして３，４も行う事を示す図である。
（ｄ）は（ｃ）の多信号コードブロックと他のデータ信号ブロックの１，２，３，４を各回ごとに圧縮して繰返し送った時の受信側の受信信号の図である。１の例で見ると圧縮信号データ３０が３回送信側より送られ受信側が受けた事を知らせてストップした事を示す図である。
【００３１】
７：図５は受信側の信号図である。
（ａ）は多信号コードの圧縮データ図で、この後送信側に受けた事を知らせる信号を送る。
（ｂ）は（ａ）の多信号コードの圧縮データを再生してデータ信号ブロックのみを取出す。
【００３２】
８：図６は本発明の送受信器におけるブロック回路図の１例である。
（ａ）は送信器の回路で、周波数ｆの搬送波を発振回路３６から発振し、周波数変調回路３７に加えられる。又一方パルス発信回路３８によりパルス周波数ｆ２を発生させて、論理回路やカウンター等で構成されるコード出力回路とデータ回路３９に加えられる。このコード出力は単にパルスだけではなく高さと巾などを必要に変えた多信号とデータ信号を同時に周波数変調回路４０に送り前記の周波数変調回路３７からの搬送波を周波数変調回路４０で多信号とコード信号を乗せる。この後周波数逓倍回路４１で周波数逓倍し、励振増幅回路４２で励振増幅し、圧縮繰返し回路４３で圧縮してから繰返し送る。そして電力増幅回路４４で電力増幅した後アンテナ４５で電波を飛ばす。
（ｂ）は受信器の回路で、アンテナ５０より受信した信号はまず再生回路５１で再生して電圧制御回路５２で一定電圧にする。まずコードを記録器５３で記録して置き、つぎのコード比較回路５４で記録と比較して、同じ時には受取信号回路５５のアンテナ５６により送信側へ受取り信号をおくる。と同時にコード消却回路５７子データ出力回路５８でデータのみを出す。送信側のアンテナ４６により電波をキャッチし、コード比較回路４８に予め記録してあるコードと比較して同じであればストップ回路４９が働き電波の発振が止まる。
【００３３】
［発明の効果］
本発明は、以上に説明した様な方法で有るので、以下に記載されるような効果が上げられる。
１：（多信号ブロックの記録比較判別）
あらゆる信号の中よりランダムに１個を選ぶ事で非常に多くの信号が出来る。この信号を必要な数だけ集める事で益々多くなる。この事は共通な発信回路と共通なメモリを使用する事で非常に経済的になる。又表現のビット数は２進法より非常に少なくなり、スピードも早くなる。
もし２進法と同じ方法での信号をレベルで感知する時非常にレベル数も多くなるが多信号法では非常に少ないので経済的である。
そして多信号化は規則がない為に暗号化にもうってつけで有る。表現が単純でないため解読しづらくハッカーやトラブルもすくなくなる。
そこで産業上の利用分野は暗号化の必要なコンピュータ、パソコン、セキュリティ、料金支払受取器及び軍需関係等の他にも広い分野がある。
２：（多信号に置換えた数による計算）
もしあらゆる信号の中よりランダムに選んで、その後に共通な決めを定めた時１ビットで多くの数が出来る。この事は本発明の明細書における本発明の実施の形態での３桁の最大数の例でも述べている。これを今までにない数式１から４までをコンピュータに入れて計算して行く事により新規性や進歩性が出て益々産業上での利用価値がでる。
そこで産業上の利用分野はコンピュータ、パソコン、計測器、情報機器、電化製品、医療機器、信号機等及びその他の広い分野がある。
３：（多信号の数を基準にして多信号と２進法の電子信号の置換え）
世の中の現象に対しての２進法の信号は種々ある。この信号と多信号との相互変換は数字を基準にして簡単に置換えられる。
その応用分野はバーコード、カード、フロッピー等やその他にも広い分野でもある。
４：（他分野での直接の多信号と本発明の電子回路の多信号）
他分野の２進法の信号は有るが多信号法の直接の多信号はまだない。そこで他の本人の特許出願例での応用を使用をもちいる。
その応用分野はバーコード、カード、フロッピー等やその他にも広い分野でもある。
５：（多信号及びその他の信号を加工して送る）
電波の使用する時間を短く適当な時に、実際の使用時間を異なる様にし圧縮して小時間の使用とすれば可能になる。
この利用分野は移動無線、移動電話、ポケベル、テレビ電話、インターネット等の他にも色々ある。
【００３４】
【図面の簡単な説明】
【図１】多信号における種々の種類
（ａ）は三角波サイクルにおける正負の高さ関係とレベル出力図
（ｂ）は逆ノコギリ波の巾、デューティノ関係とレベル出力図
（ｃ）は正負のサイン波サイクルに対する種々の波形の関係とレベル出力図
（ｄ）は正負のサイン波サイクルの周波数の関係とレベル図
（ｅ）は波形サイクル関係（逆ノコギリ波サイクルとレベル出力、逆三角波サイクル、矩形波サイクル、及びサイン波サイクルとレベル出力）
（ｆ）は電流の量の関係とレベル出力図
（ｇ）は矩形波の個数関係とレベル出力図
【図２】は多信号ブロックと順番数ブロック
（ａ）は３ビットの多信号ブロック（変則波形デューティＤ５／８、サイン波サイクルＤ１、正三角波Ｄ１／２）と順番数ブロック（２９，３５，４８）の関係とレベル出力図
（ｂ）は（ａ）のレベル出力図とメモリの為のクロックパルスの一例
【図３】は他分野での多信号と本発明の電子回路の多信号の置換え図
（ａ）は回路の多信号から順番数を基準として光デスクに於ける多信号メモリ図
（ｂ）はバーコードの多信号メモリから順番数を通り回路の多信号
（ｃ）は磁気デスクの多信号メモリから順番数を通り回路の多信号
【図４】は送信器側の多信号コード関係図
（ａ）は多信号コード（スタート、番号や指示、データ）と空き時間
（ｂ）は圧縮信号データ図
（ｃ）は多信号コードブロックとデータ信号を一組とした各ブロックの送り状態
（ｄ）は（ｃ）の圧縮データの繰返し数図
【図５】は受信器側の多信号コードプロックとデータ信号ブロック
（ａ）は圧縮した多信号コードブロックとデータ信号ブロックを受けた図
（ｂ）は再生されてデータ信号ブロックを取出した図
【図６】は送受信回路のブロック線図
（ａ）は送信側の回路図
（ｂ）は受信側の回路図
［数１］は各ビット（各桁）における表現の数式
［数２］は数値を表す式
［数３］は最大数を求める式
［数４］は信号の順位を求める式
【００３５】
【符号の説明】
１：三角波サイクル  高
２：三角波サイクル  中
３：三角波サイクル  低
４：逆ノコギリ波  巾  短
５：逆ノコギリ波  巾  中
６：逆ノコギリ波  巾  長
７：正負のサイン波サイクル  後だおし
８：正負のサイン波サイクル    正
９：正負のサイン波サイクル  前たおし
１０：正負のサイン波サイクル    高周波数
１１：正負のサイン波サイクル    中周波数
１２：正負のサイン波サイクル    低周波数
１３：逆ノコギリ波サイクル
１４：逆三角波サイクル
１５：矩形波サイクル
１６：サイン波サイクル
１７：電流波
１８：矩形波の個数どり
１９：変則波形
２０：逆サイン波サイクル
２１：三角波
２２：変則波形
２３：光デスクのメモリーポイント
２４：バーコードの多信号用メモリーバー
２５：変則波形
２６：スタートパルス
２７：番号や指示の信号
２８：データ信号
２９：スタートパルス
３０：圧縮信号データ
３１：多信号コードブロック
３２：データ信号ブロック
３３：繰返し圧縮データ
３４：圧縮データ
３５：データ信号ブロック
但し３６から５８までは回路図上に書いてある為省略する。
【手続補正２】
【補正対象書類名】図面
【補正対象項目名】図７
【補正方法】削除
【補正の内容】
【手続補正３】
【補正対象書類名】図面
【補正対象項目名】図８
【補正方法】削除
【補正の内容】
【手続補正４】
【補正対象書類名】図面
【補正対象項目名】図９
【補正方法】削除
【補正の内容】
【手続補正５】
【補正対象書類名】図面
【補正対象項目名】図１０
【補正方法】削除
【補正の内容】
【手続補正６】
【補正対象書類名】図面
【補正対象項目名】図１１
【補正方法】削除
【補正の内容】